Podtech/llm-jp-corpus-v4-ja_patent huggingface dataset:
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
（ａ）酸またはラジカル開始化学反応を起こすことができる少なくとも１つの反応性種、（ｂ）少なくとも１種の多光子アップコンバート無機リン光体を含む光化学的に有効量の多光子光増感剤、および（ｃ）前記多光子光増感剤によって光増感されることができる光化学的に有効量の１光子光重合開始剤系を含む、多光子活性化できる光反応性組成物。
【請求項２】
前記反応性種が硬化性種である、請求項１に記載の組成物。
【請求項３】
前記多光子アップコンバート無機リン光体が、少なくとも１種の希土類活性化対でドープされている少なくとも１種のホスト材料を含む、請求項１に記載の組成物。
【請求項４】
前記多光子アップコンバート無機リン光体が、化学式、Ｎａ（ＹxＹｂyＥｒz）Ｆ4（式中、ｘは０．７〜０．９であり、ｙは０．０９〜０．２９であり、ｚは０．０５〜０．０１である）、Ｎａ（ＹxＹｂyＨｏz）Ｆ4（式中、ｘは０．７〜０．９であり、ｙは０．０９９５〜０．２９９５であり、ｚは０．０００５〜０．００１である）、Ｎａ（ＹxＹｂyＴｍz）Ｆ4（式中、ｘは０．７〜０．９であり、ｙは０．０９９５〜０．２９９５であり、ｚは０．０００５〜０．００１である）、（ＹxＹｂyＥｒz）Ｏ2Ｓ（式中、ｘは０．７〜０．９であり、ｙは０．０５〜０．１２であり、ｚは０．０５〜０．１２である）、および（Ｙ0.86Ｙｂ0.08Ｅｒ0.06）2Ｏ3で表されるものからなる群より選択される、請求項１に記載の組成物。
【請求項５】
前記１光子光重合開始剤系が、光化学的に有効量の（１）前記多光子光増感剤のアップコンバートされた電子発光帯と重なる電子吸収帯を有する少なくとも１種の１光子光増感剤、および（２）（ｉ）前記１光子光増感剤とは異なる、電子を前記１光子光増感剤の電子励起状態に供与できる、少なくとも１種の電子供与化合物、および（ｉｉ）前記１光子光増感剤の電子励起状態から電子を受け入れることによって光増感され、少なくとも１種のフリーラジカルおよび／または酸の形成を引き起こすことができる、少なくとも１種の光重合開始剤のいずれかまたは双方を含む、請求項１に記載の組成物。
【請求項６】
（ａ）ラジカル開始化学反応を起こすことができる少なくとも１つの硬化性種と、（ｂ）一般式、（ＹxＹｂyＥｒz）Ｏ2Ｓ（式中、ｘは０．７〜０．９であり、ｙは０．０５〜０．１２であり、ｚは０．０５〜０．１２である）で表される少なくとも１種の多光子アップコンバート無機リン光体を含む光化学的に有効量の多光子光増感剤と、
（ｃ）光化学的に有効量の（１）ローズベンガル、（２）少なくとも１種のアルキルアリールホウ酸塩、および（３）少なくとも１種のヨードニウム塩とを含む、多光子活性化できる光反応性組成物。
【請求項７】
（ａ）（１）酸またはラジカル開始化学反応を起こすことができる少なくとも１種の反応性種、
（２）少なくとも１種の多光子アップコンバート無機リン光体を含む光化学的に有効量の多光子光増感剤、および
（３）前記多光子光増感剤によって光増感されることができる光化学的に有効量の１光子光重合開始剤系
を含む、多光子活性化できる光反応性組成物を調製するステップと、
（ｂ）前記組成物を少なくとも２つの光子の逐次または同時吸収を引き起こすのに十分な光で照射することで、前記組成物が光に曝露する少なくとも１種の酸またはラジカル開始化学反応を誘発するステップと
を含む、多光子光増感させる方法。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
複数の原色表示色に対応する関連するマトリックスカラーフィルタを備えた透過型液晶ディスプレイセルと、
前記液晶ディスプレイセルに照明光を向ける光源と、
光源と前記液晶ディスプレイセルとの間に配置され、前記原色表示色を前記液晶ディスプレイセルに向けて実質的に反射し、該液晶ディスプレイセルから前記原色表示色以外の少なくとも１色の光を吸収または外に透過するためのカラープレフィルタと、
を具備することを特徴とする液晶ディスプレイ投影システム。
【請求項２】
前記原色表示色以外の少なくとも１色の光は、５７５ｎｍ〜５９０ｎｍの間の光の波長に対応することを特徴とする請求項１記載の投影システム。
【請求項３】
前記原色表示色以外の少なくとも１色の光は、４９５ｎｍ〜５０５ｎｍの間の光の波長に対応することを特徴とする請求項１記載の投影システム。
【請求項４】
前記カラープレフィルタは、前記照明光から前記原色表示色以外の２色の光を実質的に外に透過することを特徴とする請求項１記載の投影システム。
【請求項５】
前記原色表示色以外の２色の光のうちの一方が、５７５ｎｍ〜５９０ｎｍの間の光の波長に対応することを特徴とする請求項４記載の投影システム。
【請求項６】
前記原色表示色以外の２色の光のうちの一方が、４９５ｎｍ〜５０５ｎｍの間の光の波長に対応することを特徴とする請求項４記載の投影システム。
【請求項７】
前記原色表示色以外の２色の光が、約５００ｎｍ〜約５８５ｎｍの間の光の波長に対応することを特徴とする請求項４記載の投影システム。
【請求項８】
前記複数の原色表示色が、赤色、緑色および青色に対応することを特徴とする請求項１記載の投影システム。
【請求項９】
カラーテレビ後方投影システムに具備されることを特徴とする請求項１記載の投影システム。
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
電気泳動篩い分けポリマーを含む電気泳動チャネルを提供する方法であって、
複数の電気泳動チャネルと少なくとも１つの電気泳動媒体チャンバとを含む装置を提供するステップと、
前記少なくとも１つの電気泳動媒体チャンバ内に電気泳動篩い分けポリマーを提供するステップと、
前記少なくとも１つの電気泳動媒体チャンバが前記複数の電気泳動チャネルの各電気泳動チャネルと流体連通している状態で回転軸を中心に前記装置を回転させるステップであって、前記少なくとも１つの電気泳動媒体チャンバが前記回転軸に対して前記複数の電気泳動チャネルから内側に放射状に配置されているステップとを含み、
前記回転させるステップ中に前記少なくとも１つの電気泳動媒体チャンバ内の前記電気泳動篩い分けポリマーが前記複数の電気泳動チャネル内に移動する方法。
【請求項２】
試料物質を処理する装置であって、
第１および第２の主面および基板用の回転軸を規定するハブとを含む基板と、
前記装置内の複数の電気泳動チャネルであって前記回転軸に対して外側にほぼ放射状に延びる複数の電気泳動チャネルと、
各々が試料物質を含む容量を規定する前記装置内の複数のプロセスチャンバと、
前記複数の電気泳動チャネルの少なくとも１つの電気泳動チャネルと前記複数のプロセスチャンバの少なくとも１つのプロセスチャンバとの間に配置された接続構造であって、試料物質が前記少なくとも１つのプロセスチャンバから前記少なくとも１つの電気泳動チャネル内へ移動しないようになっている閉構成を含み、試料物質が前記少なくとも１つのプロセスチャンバから前記少なくとも１つの電気泳動チャネル内へ移動可能な開構成を含む接続構造と、
前記複数の電気泳動チャネルの各電気泳動チャネルと流体連通している少なくとも１つの電気泳動媒体チャンバとを含む装置。
【請求項３】
前記複数の電気泳動チャネルの各電気泳動チャネルが通気口のない電気泳動チャネルを含む、請求項２に記載の装置。
【請求項４】
前記複数の電気泳動チャネルの少なくとも１つの電気泳動チャネルが湾曲電気泳動チャネルを含む、請求項２または３に記載の装置。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
第１の磁気抵抗素子と、
前記第１の磁気抵抗素子と電気的に直列に接続された第２の磁気抵抗素子と、
磁界に比例した信号を提供する第２の磁気抵抗素子にわたって得られる第１の出力と、
温度に比例した信号を提供する第１及び第２の磁気抵抗素子にわたって得られる第２の出力と、
第１及び第２の磁気抵抗素子の磁気抵抗特性を使用して、第１及び第２の出力を磁界読み及び温度読みに変換するように作動する論理検出素子、との組み合わせからなることを特徴とする検出デバイス。
【請求項２】
前記磁気抵抗特性が、ブリッジ感度と、零度でのブリッジ抵抗とを含むことを特徴とする請求項１に記載の検出デバイス。
【請求項３】
前記磁気抵抗素子が、（ｉ）異方性磁気抵抗素子及び（ｉｉ）巨大磁気抵抗素子からなるグループから選択されることを特徴とする、請求項１に記載の検出デバイス。
【請求項４】
前記第１の磁気抵抗素子が、電源に結合されていることを特徴とする請求項１に記載の検出デバイス。
【請求項５】
前記電源が、（ｉ）前記検出デバイス内に備えられた電源及び（ｉｉ）前記検出デバイスの外部の電源からなるグループから選択されることを特徴とする、請求項４に記載の検出デバイス。
【請求項６】
前記電源が、前記第１の磁気抵抗素子に結合された一定の電流源を備えることを特徴とする、請求項４に記載の検出デバイス。
【手続補正書】
【提出日】平成17年12月13日(2005.12.13)
【手続補正１】
【補正対象書類名】特許請求の範囲
【補正対象項目名】請求項１
【補正方法】変更
【補正の内容】
【請求項１】
検査ウェル内に複数の液体の患者サンプルを収容するためのアリクォット容器アレイであって、該アレイは
上面および下面を有し、一対の互いに平行な側壁が上面から上方へ延びているベースプレートであって、バックラッシュ無し引っかけ孔も形成してあるベースプレート；
上記ベースプレートから下方へ延びている一対の平行レールであって、各々がその下端に足部を有する一対の平行レール；および
上記ベースプレート上に形成してあり、そこから上方に延びており、対になった平行な側壁間に閉じ込められている開放試験ウェルのアレイ
を含み、ここで
上記の平行な側壁は、レールの足部と係合するようになっているノッチを有する多数のノッチ付き側部フランジによって開放ウェルのアレイに取り付けてある、上記アリクォット容器アレイ。
【手続補正２】
【補正対象書類名】特許請求の範囲
【補正対象項目名】請求項２
【補正方法】変更
【補正の内容】
【請求項２】
ベースプレートが、互いに平行な短辺端に対して直角の互いに平行な長辺端によって構成されており、互に平行な側壁が、長辺端に沿って長手方向に延びており、ベースプレートの外側境界内に位置しており、側壁が長辺端よりも短い長さを有し、長い方の周縁部分が長辺端に沿ったベースプレートの最外方部分に沿って留まり、短い方の周縁部分が短辺端に沿ったベースプレートの最外方部分に沿って留まるようになっている、請求項１のアレイ。
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
眼鏡において、
中間部を有するフレーム本体と；
前記フレーム本体の第１の端部に枢動係合する第１のつると；
前記フレーム本体の第２の端部に枢動係合する第２のつると；
前記第１のつるが枢動して閉じたときに前記フレーム本体の前記中間部に整合するように、当該フレーム本体の前記第１の端部からある距離で当該第１のつるに係合する第１の磁気手段と；
前記第２のつるが枢動して閉じたときに前記フレーム本体の前記中間部に整合するように、当該フレーム本体の前記第２の端部からある距離で当該第２のつるに係合する第２の磁気手段と；
を有し、
少なくとも前記つるが枢動して閉じたときに、前記第２の磁気手段が前記第１の磁気手段と引力磁気連通し、
前記つるが閉じるが衣服の生地により分離されるときに、前記第１及び第２の磁気手段が引力磁気連通状態を維持し、前記引力磁気連通が、当該つると前記衣服の生地との間の相対運動を実質上阻止するのに十分な把持力を当該衣服の生地上に及ぼす、
ことを特徴とする眼鏡。
【請求項２】
前記第１の磁気手段が第１の磁石であり；
前記第２の磁気手段が第２の磁石である；
ことを特徴とする請求項１に記載の眼鏡。
【請求項３】
前記第１の磁気手段が、前記第１のつるの第１の側に係合する第１の半部の磁石と、前記第１の半部の磁石に引力磁気連通する状態で当該第１のつるの第２の側に係合する第２の半部の磁石とで構成され； 
前記第２の磁気手段が、前記第２のつるの第１の側に係合する第３の半部の磁石と、前記第３の半部の磁石に引力磁気連通する状態で当該第２のつるの第２の側に係合する第４の半部の磁石とで構成される；
ことを特徴とする請求項１に記載の眼鏡。
【請求項４】
前記磁気手段が、接着剤により前記つるに係合し、縮んで包み込むチューブにより適所に保持されることを特徴とする請求項１に記載の眼鏡。
【請求項５】
前記磁気手段がネジにより前記つるに係合することを特徴とする請求項１に記載の眼鏡。
【請求項６】
前記磁気手段が円形のフレームの前記つるに係合することを特徴とする請求項１に記載の眼鏡。
【請求項７】
前記円形のフレームがループであることを特徴とする請求項６に記載の眼鏡。
【請求項８】
前記円形のフレームが半ループであることを特徴とする請求項６に記載の眼鏡。
【請求項９】
前記チューブが０．０２０インチ（約０．５１ｍｍ）のＯＤを有し、縮み前に０．３５０インチ（約８．８９ｍｍ）のＯＤを有することを特徴とする請求項４に記載の眼鏡。
【請求項１０】
前記磁石がＭＧＯ等級３５ネオジムであることを特徴とする請求項３に記載の眼鏡。
【請求項１１】
前記磁気手段が錆を阻止するためにコーティングで覆われることを特徴とする請求項１に記載の眼鏡。
【請求項１２】
前記磁気手段が前記つるに係合するように当該磁気手段を貫通する中空の通路を有することを特徴とする請求項１に記載の眼鏡。
【請求項１３】
前記磁気手段が接着剤により前記つるに係合することを特徴とする請求項１に記載の眼鏡。
【請求項１４】
前記磁気手段が縮んで包み込むチューブにより前記つるに係合することを特徴とする請求項１に記載の眼鏡。
【請求項１５】
第１及び第２の端部並びに中間部を備えたフレーム本体と、第１のつると、第２のつるとを有し、前記つるが前記フレーム端部で前記フレーム本体に枢動係合するような眼鏡のための留め金において、
前記第１のつるが枢動して閉じたときに前記フレーム本体の前記中間部に整合するように、当該フレーム本体の前記第１の端部からある距離で当該第１のつるに係合できる第１の磁石と；
前記第２のつるが枢動して閉じたときに前記フレーム本体の前記中間部に整合するように、当該フレーム本体の前記第２の端部からある距離で当該第２のつるに係合できる第２の磁石と；
を有し、
少なくとも前記つるが枢動して閉じたときに、前記第２の磁石が前記第１の磁石と引力磁気連通し、
前記つるが閉じるが衣服の生地により分離されるときに、前記第１及び第２の磁石が引力磁気連通状態を維持し、前記引力磁気連通が、当該つると前記衣服の生地との間の相対運動を実質上阻止するのに十分な把持力を当該衣服の生地上に及ぼす、
ことを特徴とする留め金。
【請求項１６】
前記第１の磁石が前記第１のつるの第１の側に係合できる第１の半部の磁石と、当該第１のつるの第２の側に係合できる第２の半部の磁石とで構成され、前記第１及び第２の半部の磁石が引力磁気連通し；
前記第２の磁石が前記第２のつるの第１の側に係合できる第３の半部の磁石と、当該第２のつるの第２の側に係合できる第４の半部の磁石とで構成され、前記第３及び第４の半部の磁石が引力磁気連通する；
ことを特徴とする請求項１５に記載の留め金。
【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
スケールおよびスケールリーダを備えるエンコーダであって、
前記スケールは互いに離間した複数の参照マークを有し、
前記スケールリーダは前記参照マークを読み取るセンサを含み、
前記参照マークはランダムまたは擬似ランダムパターンで前記スケールに沿って配置され、
前記スケールリーダが前記参照マークの前記パターン上を移動すると、前記パターンは以前に保存されたパターンと連続的に比較され、
前記参照マークの前記パターンが前記以前に保存されたパターンと一致したとき、参照信号が出力される
ことを特徴とするエンコーダ。
【請求項２】
スケールおよびスケールリーダを備えるエンコーダであって、
前記スケールは一連の増分マーク、および互いに離間した複数の参照マークを有し、
前記スケールリーダは前記増分マークを読み取り、そこから出力を生成し、前記参照マークを読み取る１つまたは複数のセンサを含み、
前記参照マークはランダムまたは擬似ランダムパターンで前記スケールに沿って配置され、
前記スケールリーダが前記参照マークの前記パターンの上を移動すると、前記パターンは以前に保存されたパターンと連続的に比較され、
前記参照マークの前記パターンが前記以前に保存されたパターンと一致したとき、参照信号が出力される
ことを特徴とするエンコーダ。
【請求項３】
前記スケールに沿った読取りヘッドの位置を指示するカウンタを含み、
前記参照信号は、カウンタをプリセット値にリセットするために前記カウンタの入力に接続されたことを特徴とする請求項１又は請求項２記載のエンコーダ。
【請求項４】
シフトレジスタを含み、
前記スケールリーダは、前記参照マーク上を通過すると、前記参照マークのパターンを表す値が前記シフトレジスタに読み込まれ、前記シフトレジスタの前記パターンが前記以前に保存されたパターンと比較されることを特徴とする請求項１ないし３のいずれかに記載のエンコーダ。
【請求項５】
前記値は、前記シフトレジスタの一端に導入され、前記参照マーク上の前記スケールリーダの前記通過と同期して前記シフトレジスタに沿ってシフトされることを特徴とする請求項４記載のエンコーダ。
【請求項６】
前記値は、前記スケールに沿った前記スケールリーダの走行方向に応じて、前記シフトレジスタのいずれかの端部に導入されることができることを特徴とする請求項４又は請求項５記載のエンコーダ。
【請求項７】
前記以前に保存されたパターンを保持するためのメモリと、前記スケールからの前記参照マークの前記パターンを前記メモリの前記以前に保存されたパターンと比較するコンパレータとを含むことを特徴とする請求項１ないし６のいずれかに記載のエンコーダ。
【請求項８】
前記以前に保存されたパターンをその中に保存するための前記メモリへの入力を含み、前記スケールリーダが前記参照マーク上を通過すると、前記パターンが前記スケールリーダから受信されることを特徴とする請求項７記載のエンコーダ。
【請求項９】
前記以前に保存されたパターンを保持するためのメモリと、前記シフトレジスタの前記参照マークの前記パターンを前記メモリの前記以前に保存されたパターンと比較するコンパレータとを含むことを特徴とする請求項４ないし６のいずれかに記載のエンコーダ。
【請求項１０】
前記保存されたパターンをその中に保存するための前記メモリへの入力を含み、前記パターンは前記シフトレジスタから受信されることを特徴とする請求項９記載のエンコーダ。
【請求項１１】
前記シフトレジスタの前記パターンの妥当性を決定し、それが無効である場合に前記入力が前記メモリに保存されるのを防止する回路を含むことを特徴とする請求項１０記載のエンコーダ。
【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
光学物品と反射層とを有し、前記光学物品が、光学面と、反対側の裏面と、前記光学面および前記裏面の一方と同一の広がりをもつ構造化表面とを含み、前記反射層が、前記光学物品の構造化表面の少なくとも一部に付着される金属化インクを備える再帰反射物品と、
アンテナと、集積回路とを含む無線周波数応答素子であって、問合せシステムが前記無線周波数応答素子から情報を得ることができるように適合された情報記憶能力および情報伝送能力を有する無線周波数応答素子と、を備え、
前記無線周波数応答素子が、前記再帰反射物品の光学面または裏面の一方に結合されている組合せタグ。
【請求項２】
前記金属化インクが、ポリマー担体と、不連続金属粒子とを含む、請求項１に記載の組合せタグ。
【請求項３】
前記光学物品が、スペーシング樹脂に埋込まれたガラス微小球を含み、前記光学面および裏面が、前記スペーシング樹脂から形成されている、請求項１に記載の組合せタグ。
【請求項４】
前記光学物品上に配置されたセキュリティ表示をさらに含む、請求項１に記載の組合せタグ。
【請求項５】
光学物品と反射層とを有し、前記光学物品が、スペーシング樹脂に埋込まれた微小球を含む光学素子を備え、前記光学物品が、光学面と、前記スペーシング樹脂から形成された反対側の構造化裏面とを有し、前記反射層が、前記光学物品の前記構造化裏面の少なくとも一部に付着された不連続金属化層である再帰反射物品と、
前記物品の裏面に結合された無線周波数応答素子であって、アンテナと、集積回路とを含み、問合せシステムが前記無線周波数応答素子から情報を得ることができるように適合された情報記憶能力および情報伝送能力を有する無線周波数応答素子とを、含む組合せタグ。
【請求項６】
前記反射層が、前記光学物品の前記構造化裏面の少なくとも一部に付着された金属化インクを含む請求項５に記載の組合せタグ。
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
ポリマー製の細長いコア（１２）を具備し、該コアが、光源からの光を受ける入射端（２０）と、該コアを通って伝送される光を放射する出射端（２３）と、該入射端と該出射端との間で該コアの長手軸線（１１）に沿って延びる側面（１３）とを有する、光ファイバ（１０）において、
光ファイバを通って進む光を該光ファイバの前記側面の少なくとも一部から前記長手軸線を略横断する方向に導出する発光領域（２６）であって、少なくとも１つの光学要素（１６）を備える発光領域と、
前記コアの前記側面と前記光学要素とにわたって延在し、該コアよりも低い屈折率を有するポリマー材料を含んでなる連続する外部クラッディング層（１４）とを具備し、
光ファイバをＵ字形に曲げて前記入射端と前記出射端とを互いに接触させたときに、該光ファイバが無傷な状態を維持すること、
を特徴とする光ファイバ。
【請求項２】
前記発光領域が、前記コアの前記長手軸線に沿って互いから任意距離だけ離間して配置された一連の２つ以上の光学要素（１６）を具備する、請求項１に記載の光ファイバ。
【請求項３】
前記外部クラッディング層（１４）の上に被覆層をさらに具備する、請求項２に記載の光ファイバ。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
グラジエント構造、特に、ホログラフィックアプリケーション、イメージングオプティクスにおける平面グラディエントインデックスレンズ、ヘッド‐アップディスプレイ、ヘッド‐ダウンディスプレイ、光学導波管、及び、光学データ記憶媒体のための光学素子の製造方法であって、これは固体マトリックスに埋め込まれたナノスケール粒子を含み、該グラジエント構造は該ナノスケール粒子の濃度勾配により形成され、硬化性マトリックス材料とその中に分散されたナノスケール粒子を含む固体又はゲル様ナノコンポジット材料において電位差が生じ、濃度勾配の形成とともにナノスケール粒子の有向性拡散が存在し、且つ、濃度勾配を有するナノコンポジット材料が硬化することを特徴とする、光学素子の製造方法。
【請求項２】
電場をかけることによって、或いは、化学ポテンシャル又は界面ポテンシャルにおける差異によって、電位差が生じることを特徴とする、請求項１に記載の方法。
【請求項３】
化学ポテンシャル差が、光（好ましくは、ＵＶ光又はレーザー光）への暴露によって、或いは、電子ビーム照射によって生じることを特徴とする、請求項２に記載の方法。
【請求項４】
化学ポテンシャル差が、ホログラフ又はリソグラフ技術によって生じることを特徴とする、請求項１〜３のいずれか１項に記載の方法。
【請求項５】
硬化性マトリックス材料が、付加重合性又は重縮合性有機モノマー及び／又はオリゴマー及び／又はプレポリマー及び又は一般式（Ｉ）及び／又は（ＩＩ）の加水分解性シラン及び／又はそれから誘導されるプレ縮合物：
ＳｉＸ4                  （Ｉ）
（ここで、基Ｘは、同一であるか又は異なり、加水分解性基又はヒドロキシル基である）；
ＲaＳｉＸ(4-a)            （ＩＩ）
（ここで、各Ｒは、同一であるか又は異なり、所望の場合、付加重合性又は重縮合性基を有する非加水分解性基であり、Ｘは上記で定義されるとおりであり、ａは１、２、又は３の値を有する）
から調製されることを特徴とする、請求項１〜４のいずれか１項に記載の方法。
【請求項６】
固体又はゲル様ナノコンポジット材料が１又はそれ以上の加水分解性及び縮合性シラン及び／又は有機ポリマーの縮合物を含むことを特徴とする、請求項１〜５のいずれか１項に記載の方法。
【請求項７】
固体又はゲル様ナノコンポジット材料が、総乾燥重量に基づいて、以下の成分を含むことを特徴とする、請求項１〜６のいずれか１項に記載の方法：
ａ）４．９〜９５．９重量％の少なくとも１種の有機ポリマー、
ｂ）４〜９５重量％の１又はそれ以上の加水分解性及び縮合性シラン、必要な場合、付加重合性又は重縮合性である非加水分解性基を有する少なくとも１つのシランを有し、重合の無機度は、３３〜１００％であり、付加重合又は重縮合の有機度は、０〜９５％である、
ｃ）オキサイド、スルフィド、セレニド、テルライド、ハライド、カーバイド、アーセナイド、アンチモニド、ナイトライド、ホスファイド、カーボネート、カルボキシレート、ホスフェート、スルフェート、シリケート、チタネート、ジルコネート、スタンネート、プルンベート、アルミネート、及び相当する混合酸化物（好ましくは、ＳｉＯ2、ＴｉＯ2、ＺｒＯ2、及びＴａ2Ｏ5からなる群からの、０．１〜５０重量％の１又はそれ以上の種類の未修飾又は表面修飾されたナノスケール粒子、
ｄ）０〜６０重量％の１又はそれ以上の有機モノマー、特に、アクリレートモノマー、好ましくは、メチルメタクリレート又はジオールジアクリレート又は‐メタクリレート、
ｅ）０〜５０重量％の１又はそれ以上の可塑剤、及び
ｆ）熱的又は光化学的架橋開始剤、増感剤、湿潤補助剤、接着促進剤、レベリング剤、抗酸化剤、安定化剤、染料、フォトクロミック又はサーモクロミック化合物から選択される、０〜５重量％の１又はそれ以上の添加剤。
【請求項８】
ポリアクリレート、ポリメタクリレート、ポリエポキシド、ポリビニルアルコール、ポリビニルアセテート、又は、ポリビニルブチラールが有機ポリマーとして使用されることを特徴とする、請求項６又は７に記載の方法。
【請求項９】
シラン（単数又は複数）がメタクリロイルオキシプロピルトリメトキシシラン、アクリロイルオキシプロピルトリメトキシシラン、３−グリシジルオキシプロピルトリメトキシシラン、ビニルトリエトキシシラン、ジメチルジメトキシシラン、ジメチルジエトキシシラン、及び、メチルトリエトキシシランより選択されることを特徴とする，請求項５〜８のいずれか１項に記載の方法。
【請求項１０】
表面修飾されたナノスケール粒子が、付加重合性又は重縮合性表面基、特に、（メタ）アクリロイル、アリル、ビニル、エポキシ、ヒドロキシル、カルボキシル、又はアミノ基を有することを特徴とする、請求項７〜９のいずれか１項に記載の方法。
【請求項１１】
ナノスケール粒子が、５０ｎｍ以下、好ましくは２０ｎｍ以下の直径を有することを特徴とする、請求項１〜１０のいずれか１項に記載の方法。
【請求項１２】
固体又はゲル様ナノコンポジット材料又はその液体前駆体を成形して成形物を形成するか又は支持体へ塗布し、液体前駆体（使用するならば）を固体又はゲル様形態に変化させ、且つ、濃度勾配の構築に続き、固体又はゲル様ナノコンポジット材料を熱的及び／又は光化学的に硬化させることを特徴とする、請求項１〜１１のいずれかに記載の方法。
【請求項１３】
請求項１〜１２のいずれか１項に記載の方法によって得られ得る、ホログラフィックアプリケーション、イメージングオプティクスにおける平面グラディエントインデックスレンズ、ヘッド‐アップディスプレイ、ヘッド‐ダウンディスプレイ、光学導波管、及び、光学データ記憶媒体のための、グラジエント構造を有する、光学素子。
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
レンズの第１部分が第１の焦点距離を有し、
外部刺激に対して光反応性の材料を含み、前記外部刺激を加えることによって第２の焦点距離に調節される焦点距離を有するレンズの第２部分と
を含み、
第１の焦点距離が第２の焦点距離と異なり、第２の焦点距離は、前記外部刺激に露出後一定のままである、
多焦点レンズ。
【請求項２】
前記第１の焦点距離が第２の焦点距離よりも長い請求項１に記載のレンズ。
【請求項３】
前記第２の焦点距離が前記第１の焦点距離よりも長い請求項１に記載のレンズ。
【請求項４】
前記第１部分が実質上円形であってレンズの中心に配置され、前記第２部分が実質上環形であって前記第１部分の周囲に配置される請求項１に記載のレンズ。
【請求項５】
前記第２部分が実質上円形であってレンズの中心に配置され、前記第１部分が実質上環形であって前記第２部分の周囲に配置される請求項１に記載のレンズ。
【請求項６】
前記レンズの前記第１部分が外部刺激に対して光反応性の材料を含む請求項１に記載のレンズ。
【請求項７】
外部刺激に対して光反応性の材料を含み、前記外部刺激を加えることによって第３の焦点距離に調節される焦点距離を有するレンズの第３部分を
さらに含む請求項１に記載のレンズ。
【請求項８】
前記第３部分が実質上環形であって前記第１部分の周囲に配置される請求項７に記載のレンズ。
【請求項９】
前記第３の焦点距離が前記第１および第２の焦点距離と異なる請求項７に記載のレンズ。
【請求項１０】
前記第３の焦点距離が前記第２の焦点距離と同じである請求項７に記載のレンズ。
【請求項１１】
前記刺激が光である請求項１に記載のレンズ。
【請求項１２】
前記刺激が紫外光である請求項１１に記載のレンズ。
【請求項１３】
前記レンズが眼内レンズである請求項１に記載のレンズ。
【請求項１４】
前記レンズがコンタクトレンズである請求項１に記載のレンズ。
【請求項１５】
前記レンズが眼鏡レンズである請求項１に記載のレンズ。
【請求項１６】
刺激誘発重合性の改質性組成物（ＭＣ）を内部に分散したレンズを調製することと、
前記レンズの一部分の焦点距離を変化させる光学特性の変化を起こす外部光刺激に前記レンズの一部分を曝すことと
を含み、
それによって前記レンズの前記露出部分が第１の焦点距離を有し、レンズの非露出部分が、前記第１の焦点距離と異なる第２の焦点距離を有する
多焦点レンズを調製する方法。
【請求項１７】
前記レンズが眼内レンズであって、前記レンズの一部分を露出する前に前記レンズを患者に挿入することをさらに含む請求項１６に記載の方法。
【請求項１８】
前記第１の焦点距離と前記第２の焦点距離とを固定することをさらに含む請求項１６に記載の方法。
【請求項１９】
前記外部光刺激が紫外光を含む請求項１６に記載の方法。
【請求項２０】
前記光学特性の変化が、外部刺激に曝された領域中のＭＣの重合によって起こる請求項１６に記載の方法。
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
（ａ）光源（１５２）と、
（ｂ）光ファイバ（１０）とを含む照明装置であって、
前記光ファイバが、
細長い高分子コア（１２）であって、前記光源からの光を受ける入力端（２０）、前記高分子コア内を伝送された光を発する出力端（２３）、および、前記高分子コアの長軸（１１）に沿って前記入力端と前記出力端との間を延びる側面（１３）を有する、高分子コアと、
前記光ファイバ内を進む光を前記光ファイバの側面（１３）の少なくとも一部から外部に向ける、前記高分子コアに形成されたくぼみ形状を有する少なくとも１つの光学要素（１６）を含む発光領域（２６）と、
前記高分子コアの前記側面および前記少なくとも１つの光学要素にわたって延びる、前記高分子コアより低い屈折率を有する高分子材料を含む連続外側クラッド層（１４）とを含み、
前記光ファイバが、前記光源から発せられた光の少なくとも一部が前記光ファイバの前記入力端に当たるように光学的に前記光源に結合されている照明装置。
【請求項２】
前記発光領域（２６）の前記長軸に沿う長さは、該長軸に沿う前記光ファイバの全長よりも短い請求項１に記載の照明装置。
【請求項３】
前記連続外側クラッド（１４）はフッ化エチレンプロピレンを含む請求項２に記載の照明装置。
【手続補正２】
【補正対象書類名】明細書
【補正対象項目名】００５１
【補正方法】変更
【補正の内容】
【００５１】
クラッド光ファイバ１６２は光源１６０に回転可能あるいは回転不可能に取り付けられている。一実施形態では、クラッド光ファイバ１６２をその長軸１６４に沿った光ファイバの回転を可能にするように光源に取り付ける。長軸を中心としたクラッド光ファイバ１６２の回転は発光領域１６７も回転させるため好ましい。光源１６０に対して長軸１６４を中心としたクラッド光ファイバ１６２の回転によりもたらされる利点は、発光領域１６７から出射する光の方向を変えてユーザの要求による所望の方向に照明を提供することができることである。
【手続補正３】
【補正対象書類名】明細書
【補正対象項目名】００５２
【補正方法】変更
【補正の内容】
【００５２】
連結器１６８を用いて光源１６０およびクラッド光ファイバ１６２を連結する場合、連結器１６８をクラッド光ファイバ１６２に固定してもよく、この場合クラッド光ファイバ１６２および連結器１６８は両方とも光源１６０に対して回転できる。代替的には連結器１６８を光源に固定してもよく、この場合クラッド光ファイバ１６２は連結器および光源１６０に対して回転可能である。代替的にはクラッド光ファイバ１６２と、連結器１６８がある場合には連結器１６８とを光源１６０に回転不可能に取り付けてもよい。
【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】  
ニードルを受け入れるための開口を有したハウジングと、
前記開口に近接して前記ハウジング内に設けられたポストと、
前記ポストに装着されたクリップとを備え、
前記クリップは、ニードルが前記ハウジングに挿入されるときに、前記ポストから離れることが可能であり、かつ前記クリップは、さらにニードルが前記クリップと前記ポストとの間を通過するときに、ニードルにかぶりつくことが可能であることを特徴とするニードル不動化安全装置。
【請求項２】  
前記クリップは、下側部分と、中間部分と、上側部分とを有し、前記ポストは、前記下側部分と前記上側部分を通して延びる請求項１に記載のニードル不動化安全装置。
【請求項３】  
前記ハウジングは、関連したトレイを取り付けるために、そこから延びた少なくとも１つの耳部を有する請求項１に記載のニードル不動化安全装置。  
【請求項４】  
ニードルを受け入れるための凹部を有する部材を更に備え、前記部材は、ニードルの挿入に先行して、前記クリップと前記ポストの間に設けられ、そして、ニードルの挿入中に、前記クリップと前記ポストの間から移動される請求項１に記載のニードル不動化安全装置。
【手続補正２】
【補正対象書類名】明細書
【補正対象項目名】００４９
【補正方法】変更
【補正の内容】
【００４９】
各実施形態では、ばねクリップ２４は、それが遭遇する最も硬いニードル８２よりも硬い。装置２０，２０’，２０”が、３７５ＢＨＮの硬さを有する大きな直径のニードルで使用される場合、本発明で使用されるばねクリップ２４は、４８Ｃのロックウエル硬さを有するばね鋼で形成される。装置２０，２０’，２０”が小さい直径のニードルで使用される場合、本発明で使用されるばねクリップ２４は熱処理されて、そのばねクリップ２４が５５Ｃ〜６０Ｃのロックウエル硬さに硬化されることが好ましい。何故ならば、小さい直径のニードルはより多くの硬化作業を受け、かくして大きな直径のニードルよりも硬い４１５ＢＨＮになるからである。好ましくは、局部加熱処理によって、ばねクリップ２４の、ニードル８２に噛みつく部分だけが硬化されることが好ましい。ばねクリップ２４全体が硬化されると、装置２０，２０’，２０”が大きな直径のニードルで使用される場合に、ばねクリップ２４が脆くなりすぎることが判明している。
【手続補正３】
【補正対象書類名】明細書
【補正対象項目名】図面の簡単な説明
【補正方法】変更
【補正の内容】
【図面の簡単な説明】
【図１】  本発明の第１実施形態の特徴を組み入れた装置の斜視図である。
【図２】  本発明で使用されるクリップの側面図である。
【図３】  複数のポストを有する下側部材の斜視図であり、ポストの１つにクリップが装着されている。
【図４】  図１の４−４線を通る前記装置の断面図である。
【図５】  前記装置の断面図であり、そこに挿入されたニードルを仮想線で示している。
【図６】  本発明の第２実施形態の特徴を組み入れた装置の断面図である。
【図７】  前記装置の第２実施形態の断面図であり、そこに挿入されたニードルを仮想線で示している。
【図８】  複数のポストを有する本発明の第３実施形態の上側部材の斜視図である。
【図９】  本発明の第３実施形態の下側部材の斜視図である。
【図１０】  図８に示された上側部材の断面図であり、そこにはクリップが装着されている。
【図１１】  図８に示された前記装置のポストの断面図である。
【図１２】  ポストとニードルの部分立側面図と、そこに装着されたクリップの断面図である。
【手続補正書】
【提出日】平成18年7月11日(2006.7.11)
【手続補正１】
【補正対象書類名】明細書
【補正対象項目名】０００４
【補正方法】変更
【補正の内容】
【０００４】
米国特許第５，８７９，３６７号、同第５，８７９，３１０号、同第５，８２０，５７０号及び同第５，５８２，１８４号には、グルコースのモニターを目的として少量の間質液を採取するために穿通深さを制限する器具と関連して細い針を用いるサンプリング方法が開示されている。しかしながら、家庭用又は病室用に適した吸込みサンプルを分析する方法は開示されていない。
【特許文献１】米国特許第３，６４０，３８３号
【特許文献２】米国特許第４，０５３，３８１号
【特許文献３】米国特許第４，０８８，４４８号
【特許文献４】米国特許第４，２３３，０２９号
【特許文献５】米国特許第４，２９８，０１１号
【特許文献６】米国特許第４，２５４，０８３号
【特許文献７】米国特許第４，３０１，４１２号
【特許文献８】米国特許第４，３０１，４１４号
【特許文献９】米国特許第４，３０３，８８７号
【特許文献１０】米国特許第４，６２７，４４５号
【特許文献１１】米国特許第４，６３７，４０３号
【特許文献１２】米国特許第４，６５４，１９７号
【特許文献１３】米国特許第４，７７４，１９２号
【特許文献１４】米国特許第４，７９０，９７９号
【特許文献１５】米国特許第４，９００，４２４号
【特許文献１６】米国特許第５，１２０，４２０号
【特許文献１７】米国特許第５，１２６，０３４号
【特許文献１８】米国特許第５，１２８，０１５号
【特許文献１９】米国特許第５，１３５，７１９号
【特許文献２０】米国特許第５，１４１，８６８号
【特許文献２１】米国特許第５，１７８，８３１号
【特許文献２２】米国特許第５，１９２，４１５号
【特許文献２３】米国特許第５，２２５，１６３号
【特許文献２４】米国特許第５，２２９，２８２号
【特許文献２５】米国特許第５，３０６，６２３号
【特許文献２６】米国特許第５，３２０，７３２号
【特許文献２７】米国特許第５，３４６，６７２号
【特許文献２８】米国特許第５，３８２，３４６号
【特許文献２９】米国特許第５，３８４，０２８号
【特許文献３０】米国特許第５，３８５，８４６号
【特許文献３１】米国特許第５，４１３，６９０号
【特許文献３２】米国特許第５，４１８，１４２号
【特許文献３３】米国特許第５，４３７，９９９号
【特許文献３４】米国特許第５，５０８，１７１号
【特許文献３５】米国特許第５，５０９，４１０号
【特許文献３６】米国特許第５，５８２，１８４号
【特許文献３７】米国特許第５，６２８，８９０号
【特許文献３８】米国特許第５，６３５，３５８号
【特許文献３９】米国特許第５，６４５，７０９号
【特許文献４０】米国特許第５，７００，６９５号
【特許文献４１】米国特許第５，７３１，２１２号
【特許文献４２】米国特許第５，８２０，５７０号
【特許文献４３】米国特許第５，８７９，３１０号
【特許文献４４】米国特許第５，８７９，３６７号
【特許文献４５】米国特許第５，９２２，６０４号
【特許文献４６】米国特許第５，９４２，１０２号
【特許文献４７】米国特許第５，９５１，４９２号
【特許文献４８】米国特許第５，９６２，２１５号
【特許文献４９】米国特許第５，９９７，８１７号
【特許文献５０】米国特許第６，０３６，９２４号
【特許文献５１】米国特許第６，０７７，６６０号
【特許文献５２】米国特許第６，０８０，１１６号
【特許文献５３】米国特許第６，１２０，４６４号
【特許文献５４】米国特許第６，１２９，８２３号
【特許文献５５】米国特許第６，１４３，１６４号
【特許文献５６】米国特許第６，２０６，８４１号
【特許文献５７】米国特許第６，３２５，９７５号
【特許文献５８】米国特許第６，３６８，５６３号
【特許文献５９】米国特許第６，３７５，６２６号
【特許文献６０】米国特許出願公開第２００２／００４９３９０号
【特許文献６１】オーストラリア国特許第Ａ−５４８７３／９４号
【特許文献６２】ドイツ国特許第３，７０８，０３１号
【特許文献６３】欧州特許第０，２５５，２９１号
【特許文献６４】欧州特許第０，３０３，７８４号
【特許文献６５】欧州特許第０，３４５，７８１号
【特許文献６６】欧州特許第０，３５１，８９２号
【特許文献６７】欧州特許第０，１７０，３７５号
【特許文献６８】欧州特許第０，４５１，９８１号
【特許文献６９】欧州特許第０，５６０，３３６号
【特許文献７０】欧州特許第０，６０９，７６０号
【特許文献７１】欧州特許第０，６２０，４３７号
【特許文献７２】欧州特許第０，４４３，２３１号
【特許文献７３】欧州特許第０，７９６，６５９号
【特許文献７４】英国特許第２，１８６，０７８号
【特許文献７５】国際公開第１９８９／０８７１３号
【特許文献７６】国際公開第１９９５／１０２２３号
【特許文献７７】国際公開第１９９５／１６１９８号
【特許文献７８】国際公開第１９９５／２８６３４号
【特許文献７９】国際公開第１９９８／４３０７４号
【特許文献８０】欧州特許第１，４４３，３２７号
【特許文献８１】国際公開第１９９７／１８４６４号
【特許文献８２】米国特許第５，８１４，５２２号
【特許文献８３】米国特許第４，９８３，４１６号
【特許文献８４】米国特許第４，６０５，６２９号
【特許文献８５】ドイツ国特許第１９７，４７，８７５号
【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  内部直径を有する制限部位と内部直径を有する腸骨動脈への二分枝とを含む大動脈であって上記制限部位の内部直径が上記腸骨動脈の内部直径の合計より小さい大動脈の内部に配置されるタイプのステント移植物デバイスであって、
該移植物は、上記大動脈の上部部分内に保持されるよう近位主要管状部分を備え、
該近位主要管状部分は、第１の直径を有し、そして２つの管状脚部に分かれ、
各脚部は、第２の直径、および付随する腸骨動脈の内側に配置され該腸骨動脈の内部表面に対して保持される遠位末端部分を有し、
該遠位末端部分は第２の直径より大きい第３の直径を規定し、
該第２の直径の合計は上記制限部位の内部直径より小さい、ステント移植物デバイス。
【請求項２】  請求項１に記載のステント移植物デバイスであって、
上記管状脚部はそれぞれ、上記第２の直径から上記第３の直径へ延びる移行フレアー部分を有する、ステント移植物デバイス。
【請求項３】  前記フレアー移行部分が円錐形である、請求項２に記載のステント移植物デバイス。
【請求項４】  前記遠位末端部分が円柱状である、請求項３に記載のステント移植物デバイス。
【請求項５】  前記フレアー移行部分が湾曲している、請求項２に記載のステント移植物デバイス。
【請求項６】  前記遠位末端部分が円柱状である、請求項５に記載のステント移植物デバイス。
【請求項７】  請求項１に記載のステント移植物デバイスであって、
前記第２の直径が、所定の腸骨動脈の内部直径より小さく、
前記第３の直径が、圧迫されていない状態において上記所定の腸骨動脈の内部直径より大きい、ステント移植物デバイス。
【請求項８】  前記ステント移植物デバイスが一体的に構成されている、請求項１に記載のステント移植物デバイス。
【請求項９】  内部直径を有する制限部位を含み且つ内部直径と内部表面とを有する腸骨動脈へ分岐する大動脈であって上記大動脈の内部直径が該腸骨動脈の内部直径の合計より小さい大動脈の内部に配置されるタイプの一体的なステント移植物デバイスであって、
該デバイスは、大動脈の上部部分内に配置されるようになっており且つ第１の直径を有する近位主要管状部分と、該主要管状部分から垂下する２つの管状脚部とを備え、
各脚部は、付随する腸骨動脈の内側に配置されるようになっており、また、第２の直径および遠位末端部分を有し、
前記遠位末端部分は第２の直径より大きい第３の直径を有し、
前記２つの管状脚部の第２の直径は、両管状脚部が、大動脈の内部表面によって圧縮されることなく大動脈内部直径内で並んで配置されるように十分に小さい、ステント移植物デバイス。
【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  焦げた外観、２０〜６０重量％の湿分含量およびペット動物による噛む最初の圧力下で弾力のあるテクスチャーの堅さを供する構成を有する、食用の配合された蛋白質の豊富な本体を含む、ペットフード。
【請求項２】  本体は不均一な表面を有する、請求項１に記載のペットフード。
【請求項３】  本体は褐色化反応に起因する増加した呈味性を有する、請求項１または請求項２に記載のペットフード。
【請求項４】  本体は、軽く押されたときに脂肪液をにじみ出し得る、請求項１から請求項３のいずれか１項に記載のペットフード。
【請求項５】  構成は層状である、請求項１から請求項４のいずれか１項に記載のペットフード。
【請求項６】  湿分含量は３５〜５０重量％である、請求項１から請求項５のいずれか１項に記載のペットフード。
【請求項７】  湿分含量は４０〜４５重量％である、請求項６に記載のペットフード。
【請求項８】  一般的に塊状形状を有する、請求項１から請求項７のいずれか１項に記載のペットフード。
【請求項９】  構成は内部区域および外部区域を含み、外部区域は内部区域より少ない湿分含量を有する、請求項１から請求項８のいずれか１項に記載のペットフード。
【請求項１０】  外部区域は酸性被覆を含む、請求項９に記載のペットフード。
【請求項１１】  ２０〜４０重量％の蛋白質を含む、請求項１から請求項１０のいずれか１項に記載のペットフード。
【請求項１２】  ペット動物による噛む最初の圧力下で弾力のあるテクスチャーを有し、フードの凝集性の蛋白質が豊富な本体を供する工程、本体の湿分含量を２０〜５０重量％に減少する工程、および本体の少なくとも一部を焦げたように見える表面を持つようにする工程を含む、ペットフードの製造方法。
【請求項１３】  湿分を減少する工程は、好ましくは、本体を乾熱にさらすことによって達成させる、請求項１２に記載の方法。
【請求項１４】  少なくとも表面部分を黒焦げにすることを含む、請求項１３に記載の方法。
【請求項１５】  本体の呈味性を増加させることを含む、請求項１２から請求項１４のいずれか１項に記載の方法。
【請求項１６】  呈味性の増加には褐色化反応を本体の表面において生じさせることを含む、請求項１５に記載の方法。
【請求項１７】  本体のｐＨを減少させることを含む、請求項１６に記載の方法。
【請求項１８】  本体を酸で被覆することを含む、請求項１７に記載の方法。
【請求項１９】  糖を本体の中に入れることを含む、請求項１６から請求項１８のいずれか１項に記載の方法。
【請求項２０】  食肉のエマルションを生成することを含む、請求項１２から請求項１９のいずれか１項に記載の方法。
【請求項２１】  密封された容器、その容器内に複数の食用の配合された蛋白質の豊富な本体を含み、本体は、褐色化された外観、２０〜６０重量％の湿分含量、およびペット動物による噛む最初の圧力下で弾力のあるテクスチャーの堅さを供する構成を有する、ペットフード製品。
【請求項２２】  褐色化した外観は、本体を乾熱にさらすことによって造られる、請求項２１に記載のペットフード製品。
【請求項２３】  本体は、容器内にぎっしり詰めて含有される、請求項２１または請求項２２に記載のペットフード製品。
【請求項２４】  添加された水または肉汁を含有しない、請求項２１から請求項２３のいずれか１項に記載のペットフード製品。
【請求項２５】  本体は高い脂肪含量を有する、請求項２１から請求項２４のいずれか１項に記載のペットフード製品。
【請求項２６】  本体は酸性の被覆を有する、請求項２１から請求項２５のいずれか１項に記載のペットフード製品。
【請求項２７】  褐色化された外観、増加された脂肪含量、３５〜５０重量％の湿分含量、２０〜４０重量％の蛋白質含量、およびペット動物による噛む最初の圧力下で弾力のあるテクスチャーの堅さを供する構成を有する、複数の食用の配合された蛋白質の豊富な本体を含むペットフード製品であって、湿分は、本体を乾熱源にさらすことによって減少され、かつ前記本体は、軽く押したときに脂肪液がにじみ出ることが可能である、前記ペットフード製品。
【請求項２８】  ペットの所有者による購入を誘発させるように飾られた容器であって、この容器は、密封され、そして殺菌され、そして内部に複数の食用の配合された本体を有し、本体は、褐色化された外観、３５〜５０重量％の湿分含量、および２０〜４０重量％の蛋白質含量を有する、前記容器。
【請求項２９】  ３０〜４５重量％の湿分含量、約２０〜４０重量％の蛋白質含量、およびペット動物による噛む最初の圧力下で弾力のあるテクスチャーの堅さを提供する構成を有する、複数の食用の配合された蛋白質の豊富な本体を含むペットフード製品であって、湿分は、本体を乾熱源にさらすことによって減少されており、かつ前記本体は、焦げた外観を持つ酸性の被覆を有する、前記ペットフード製品。
【誤訳訂正書】
【提出日】平成16年12月1日(2004.12.1)
【誤訳訂正１】
【訂正対象書類名】明細書
【訂正対象項目名】請求項４５
【訂正方法】変更
【訂正の内容】
【請求項４５】  約5.9±0.2, 8.4±0.2, 12.0±0.2, 12.5±0.2, 13.3±0.2, 16.0±0.2, 17.7±0.2, 19.9±0.2, 21.5±0.2, 22.7±0.2, 24.0±0.2, 24.7±0.2°2θでピークを含んで成る粉末x−線回折パターンにより特徴づけられるトルセミド。
【誤訳訂正２】
【訂正対象書類名】明細書
【訂正対象項目名】００１６
【訂正方法】変更
【訂正の内容】
【００１６】
本発明はまた、トルセミドに新規形、すなわちトルセミドForm Vに関する。
本発明はまた、約5.9±0.2, 8.4±0.2, 12.0±0.2, 12.5±0.2, 13.3±0.2, 16.0±0.2, 17.7±0.2, 19.9±0.2, 21.5±0.2, 22.7±0.2, 24.0±0.2, 24.7±0.2°2θでピークを含んで成る粉末x−線回折パターンにより特徴づけられるトルセミドに関する。
本発明はまた、トルセミドForm V及び医薬的に許容できるキャリヤーを含んで成る医薬組成物に関する。
本発明はまた、治療的有効量のトルセミドForm Vを、浮腫の処理の必要な患者に投与する段階を含んで成る、浮腫の処理方法に関する。
【誤訳訂正３】
【訂正対象書類名】明細書
【訂正対象項目名】００３５
【訂正方法】変更
【訂正の内容】
【００３５】
トルセミドForm Vは、図５に示されるように、5.9±0.2, 8.4±0.2, 12.0±0.2, 12.5±0.2, 13.3±0.2, 16.0±0.2, 17.7±0.2, 19.9±0.2, 21.5±0.2, 22.7±0.2, 24.0±0.2, 24.7±0.2°2θでピークを含んで成る粉末x−線回折パターンにより特徴づけられる。
トルセミドForm Vは、図６に示されるように、約834, 846, 862, 1111, 1230, 1246, 1328, 1352, 1420, 1523, 1583, 1614cm-1±2で赤外線（IR）スペクトルピークにより特徴づけられる。